(57)【要約】      （修正有）【課題】体育館等の木製床板の乾燥収縮による木端面の反り上がりを抑え、施工性の向上を図る床板を提供する。【解決手段】一対の木口面２ａと一対の木端面３ａ、３ｂとを備え、一方の木口面２ａに雄実７を有すると共に他方の木口面に雌実を有し、一方の木端面３ａに斜釘の打付け溝となる釘隠溝１１が雌実よりも幅及び深さを小さなものとして形成され、他方の木端面３ｂに前記釘隠溝１１に嵌入可能な凸条部１２が形成されている。【選択図】図１
0003144641.tif 000002
【実用新案登録請求の範囲】
【請求項１】
一対の木口面と一対の木端面とを備え、一方の木口面に雄実を有すると共に他方の木口面に雌実を有している床板において、一方の木端面に斜釘の打付け溝となる釘隠溝が前記雌実よりも幅及び深さを小さなものとして形成され、他方の木端面に前記釘隠溝に嵌入可能な凸条部が形成されていることを特徴とする床板。
【請求項２】
前記釘隠溝は、その幅が雌実の幅の５割以下に形成されると共にその深さが雌実の深さの５割以下に形成され、前記凸条部は、その幅が雄実の幅の５割以下に形成されると共にその高さが雄実の高さの５割以下に形成されていることを特徴とする請求項１に記載の床板。
【請求項３】
前記凸条部の断面は基端から先端に向けて先細りとなる台形状若しくは凸円弧状に形成され、前記釘隠溝の断面は凸条部が嵌合可能な形状に形成されていることを特徴とする請求項１又は請求項２に記載の床板。
【考案の詳細な説明】
【技術分野】
【０００１】
本考案は、体育館等の床板に関するものである。
【背景技術】
【０００２】
従来、体育館等の床組構造の仕上材として床板を採用する場合、先ず、床基礎上に置床下地等を介して平板状の床支持材を設置し、該床支持材上に平板状の捨張り材を支持させ、該捨張り材上に床板を敷き並べる。これにより、床板からなる床面が形成される。
この種の施工方法おいては、例えば特許文献１に示す床板が採用可能である。該特許文献１に示される床板は、一方の木端面に雄実を有すると共に他方の木端面に雌実を有しており、隣接する床板の一方の雌実に他方の雄実を嵌合させる工法（本実矧ぎ）によって複数の床板が隙間無く設置される。また、これら複数の床板はそれぞれ、雌実の底部から捨張り材に向けて斜釘が打ち込まれており、これによって床板が捨張り材に固定される。
【特許文献１】特開２００１−２６２８１６号公報（第８図）
【考案の開示】
【考案が解決しようとする課題】
【０００３】
ところで、本実矧ぎによって敷き並べられる床板において、雄実は、その幅が木端面の幅の１／３程度の大きさを有すると共に、その突出長さが幅と同程度若しくはそれ以上の大きさを有している一方、雌実はかかる雄実を嵌合可能な大きさに形成されているのが一般的であり、これによって有効寸法（施工後に床面上に表れる寸法）に対して実際に必要とされる板の寸法（以下、実寸法という）が大きなものとなる。特に体育館等に用いられる床板においては、使用中の摩耗等を考慮して形成されるため、一般的な床板よりも厚く形成されており、これに伴って雄実及び雌実も大きく形成されたものとなっている。したがって、各床板の乾燥収縮による木端面の反り上がりが一般的な床板よりも大きなものとなり、これによって床面が波打つこととなる虞があった。特に雌実が形成された木端面は、該雌実上下の両側の部分が薄く突出することとなり、かかる部分の強度が低下するばかりでなく乾燥収縮による変形がより大きなものとなる。
【０００４】
しかしながら、特許文献１の床板においては、雄実の幅が木端面の幅の１／３程度であると共にその突出長さも幅と同程度に形成され、雌実はかかる雄実を嵌合可能な大きさに形成されているのみであり、上述の如き問題を解決するには至っていない。
また、雌実の底部に打ち込まれた斜釘の打ち込み状態は、該斜釘によって固定された床板の雌実に該床板に隣接配備される床板の雄実を嵌合させることによって明らかとなるものの、前記斜釘の打ち込み状態によっては接着剤が塗布された捨張り材上にて床板の雄実と雌実とを嵌合させたり外したりしなければならず、極めて施工性が悪い。
【０００５】
そこで、本考案の目的は、乾燥収縮による木端面の反り上がりを抑えることができる施工性の高い床板を提供するようにしたものである。
【課題を解決するための手段】
【０００６】
前記目的を達成するため、本考案においては以下の技術的手段を講じた。
すなわち、本考案における課題解決のための技術的手段は、一対の木口面と一対の木端面とを備え、一方の木口面に雄実を有すると共に他方の木口面に雌実を有している床板において、一方の木端面に斜釘の打付け溝となる釘隠溝が前記雌実よりも幅及び深さを小さなものとして形成され、他方の木端面に前記釘隠溝に嵌入可能な凸条部が形成されていることを特徴とする。
これによれば、本考案に係る床板は、一対の木口面に雄実と雌実を有するのみであり、一対の木端面に雄実及び雌実を備えていない。これら雄実及び雌実に替えて、一対の木端面には、一方に前記釘隠溝が形成されると共に他方に前記凸条部が形成されているのである。
【０００７】
これによって幅方向の実寸法が有効寸法よりも僅かに大きく形成されるのみとなり、乾燥収縮による両木端面の反りを低減させることができる。
また、釘隠溝はその幅及び深さが雌実よりも小さいものであるため、木端面の釘隠溝の両側となる部分は、その厚さが釘隠溝の幅よりも大きく形成されることとなる。このため、該部分の乾燥収縮は極めて僅かなものとなり、これによって前記一方の木端面の反り上がりをさらに低く抑えることができるのである。
また、前記釘隠溝は浅く形成される共に、前記凸条部は木端面から僅かに突出してされている。このため、先に設置された床板の釘隠溝側の木端面に該床板に隣接配備されることとなる床板の凸条部側の木端面を仮当てすることにより、凸条部を釘隠溝に嵌入させることができなければ釘の打ち込み状態が完全でないことが明らかとなる。かかる方法により釘の打ち込み状態を容易に判別でき、これによって施工性を向上させることができるのである。
【０００８】
また、前記釘隠溝は、その幅が雌実の幅の５割以下に形成されると共にその深さが雌実の深さの５割以下に形成され、前記凸条部は、その幅が雄実の幅の５割以下に形成されると共にその高さが雄実の高さの５割以下に形成されていることが好ましい。
これによれば、両木端面の乾燥収縮をより低減することができるのである。
さらに、前記凸条部の断面は基端から先端に向けて先細りとなる台形状若しくは凸円弧状に形成され、前記釘隠溝の断面は凸条部が嵌合可能な形状に形成されていることが好ましい。
【０００９】
これによれば、より容易に一の床板の凸条部を先に設置された床板の釘隠溝に嵌め込むことができ、施工性をさらに向上させることができる。
【考案の効果】
【００１０】
本考案の床板によれば、施工性の向上を図ることができると共に、乾燥収縮による木端面の反り上がりを抑えることができる。
【考案を実施するための最良の形態】
【００１１】
以下、本考案を実施した形態につき、図１〜図６に沿って具体的に説明する。
本実施の形態の床板１は、図１〜図４に示す如く、扁平な直方体状すなわち帯板形状に形成されており、長尺方向の端面となる一対の木口面２ａ、２ｂと、短尺方向の端面となる一対の木端面３ａ、３ｂとを有すると共に、床面に表れる仕上面４と、該仕上面４の反対側の面となる裏面５とを有している。
本実施の形態において、床板１は無垢の木材（無垢材）から形成されており、木口面２ａ、２ｂが木材の繊維方向に直角に切断され、木端面３ａ、３ｂが柾目面、仕上面４及び裏面５が板目面として形成されている。また、仕上面４が木表とされ、裏面５が木裏とされている。
【００１２】
図３に示す如く、一対の木口面２ａ、２ｂの内、一方の木口面２ａに雄実７が形成されると共に他方の木口面２ｂに雌実８が形成されている。
雄実７は木口面２ａの幅方向略中央部に形成されており、該木口面２ａに垂直な断面が基端から先端に向けて先細りとなる台形状に形成されている。
また、該雄実７の基端部の幅は、木口面２ａの幅の１／３程度の大きさを有している。本実施の形態において、木口面２ａの幅Ｌ１は１８ｍｍであり、雄実７の基端部の幅ｋ１は６ｍｍの大きさを有している。また、雄実７の突出長さｄ１は該雄実７の基端部の幅ｋ１と同じ６ｍｍの大きさを有している。
【００１３】
雌実８は他方の木口面２ｂの幅方向略中央部に形成されており、前記雄実７を嵌合させるべく、該木口面２ｂに垂直な断面は開放部から底部に向けて先細りとなる台形状に凹設されている。また、該雌実８の開放面の幅は、木口面２ｂの幅の１／３程度の大きさを有している。本実施の形態において、木口面２ｂの幅Ｌ２は１８ｍｍであり、雌実８の開放部の幅ｋ２は６.４ｍｍの大きさを有している。また、雌実８の深さｄ２は該雌実８の開放面の幅ｋ２と同じ６.４ｍｍの大きさを有している。
また、図２に示す如く、一対の木端面３ａ、３ｂの内、一方の木端面３ａに釘隠溝１１が形成されると共に他方の木端面３ｂに凸条部１２が形成されている。
【００１４】
釘隠溝１１は、床板１を図６に示す捨張り材２２等の下板に固定するために打ち付けられる斜釘１４の打付け溝を構成するものであって、木端面３ａの幅方向略中央部に該木端面３ａに垂直な断面を角形状として凹設されている。これにより、該釘隠溝１１の両側には一対の脚部１１ａが形成される。
また、図１及び図４に示す如く、釘隠溝１１の幅は雌実８の幅よりも小さく、該雌実８の幅の５割以下であることが望ましい。本実施の形態においては、図２及び図３に示す如く、雌実８の基端側の幅ｋ２は６.４ｍｍであり、釘隠溝１１の幅ｋ３は３ｍｍである。
【００１５】
また、図１及び図４に示す如く、釘隠溝１１の深さは雌実８の深さよりも小さく、該雌実８の深さの５割以下であることが望ましい。本実施の形態においては、図２及び図３に示す如く、雌実８の深さｄ２は６.４ｍｍであり、釘隠溝１１の深さｄ３は２ｍｍである。
凸条部１２は、図６に示す如く釘隠溝１１に嵌入可能に形成されており、図２に示す如く、木端面３ｂの幅方向略中央部に該木端面３ｂに垂直な断面を角形状として凸設されている。
【００１６】
また、図１及び図４に示す如く、凸条部１２の幅は雄実７の幅よりも小さく、該雄実７の幅の５割以下であることが望ましい。本実施の形態においては、図２及び図３に示す如く、雄実７の基端側の幅ｋ１は６ｍｍであり、凸条部１２の幅ｋ４は２ｍｍである。
また、図１及び図４に示す如く、凸条部１２の突出長さは雄実７の突出長さよりも小さく、該雄実７の突出長さの５割以下であることが望ましい。本実施の形態においては、図２及び図３に示す如く、雄実７の突出長さｄ１が６ｍｍであり、凸条部１２の突出長さｄ４は１ｍｍである。
【００１７】
また、図１及び図２に示す如く、仕上面４には複数箇所に円形状の凹部１５が形成されており、裏面５には床板１の長尺方向に伸びる互いに平行な一対の溝部１６が形成されている。
本実施の形態の床板１は以上の構成からなるものであって、次に該床板１を用いて床面を施工する方法について図５及び図６を参照して説明する。
床板１を敷き並べるに先立ち、該床板１を敷き並べるための下張り面２０を施工する。本実施の形態において、下張り面２０は、床基礎（図示省略）上に床下地材（図示省略）等を介して根太２１を組み上げ、該根太２１上に捨ベニヤ等の平板状の捨張り材２２を取り付けることにより形成される。
【００１８】
該下張り面２０に床板１を敷き並べるには、先ず、床板１ａの裏面５に接着剤を塗布し、該床板１ａを捨張り材２２に貼着する。次に、図６に示す如く該床板１ａの斜め上方から釘隠溝１１に向けて斜釘１４を打ち込む。該斜釘１４を釘隠溝１１の下側の脚部１１ａ及び捨張り材２２に貫通させることにより、床板１ａの釘隠溝側を捨張り材２２に圧着させる。このとき、斜釘１４の釘頭１４ａは釘隠溝１１の下側の脚部１１ａに没入させる。また、図に示す如く斜釘１４の先端が捨張り材２２を貫通して根太２１に到達していることが好ましい。
【００１９】
次に、仕上面４に形成された凹部１５にタッピンねじ等の脳天ねじ材２３をねじ込み、これによって床板１ａの凸条部側を捨張り材２２に圧着させる。このとき、脳天ねじ材２３の先端が捨張り材２２を貫通して根太２１まで届いていることが好ましい。これにより、床板１ａの裏面５が全体に亘って接着剤の塗布後直ちに（接着剤が乾燥する前に）捨張り材２２に圧着されることとなり、接着強度を大幅に低下させることなく床板１ａを捨張り材２２に取り付けることができる。その後、前記凹部１５を埋木材２４によって埋め、脳天ねじ材２３のねじ頭を隠すと共に仕上面４を平滑にする。
【００２０】
図５に示す如く、該床板１ａの長尺方向に次の床板１ｂを取り付けるには、先ず、該床板１ｂの裏面５に接着剤を塗布する。そして、既に捨張り材２２に取り付けられた床板１ａの斜め上方から床板１ｂの雄実７を床板１ａの雌実８へ嵌め込みつつ床板１ｂの雌実側を捨張り材２２に近接させ、これによって該床板１ｂを床板１ａに嵌合させた状態で捨張り材２２に貼着する。その後、上記の手順を経て斜釘１４及び脳天ねじ材２３を介して床板１ｂを捨張り材２２に圧着させる。この様に本実矧ぎによって床板１を連結する工程を繰り返すことにより、床板１がその長尺方向に一列に敷き並べられる。
【００２１】
図６に示す如く、床板１ａの短尺方向に床板１ｃを取り付けるには、先ず、該床板１ｃの裏面５に接着剤を塗布する。そして、床板１ａの釘隠溝１１を備えた木端面３ａに床板１ｃの凸条部１１を備えた木端面３ｂを床板１ａの斜め上方から仮当てする。
このとき、図６中に拡大して示す如く、斜釘１４が釘頭１４ａを釘隠溝１１の下側の脚部１１ａに没入するまで打ち込まれていれば、凸条部１２が釘隠溝１１に嵌入して隠れ、凸条部１２を床面側（施工者側）から視認できることはない。これによって、床板１ｃを捨張り材２２に貼着する前に床板１ｃの木端面３ｂが床板１ａの木端面３ａに隙間やずれ無く当接することが確認される。
【００２２】
一方、斜釘１４が釘頭１４ａを釘隠溝１１の下側の脚部１１ａに没入するまで打ち込まれていなければ、凸条部１２は斜釘１４に当接するため釘隠溝に嵌入することはなく、これによって該凸条部１２を床面側から視認することができる。これにより、床板１ｃを捨張り材２２に貼着する前に床板１ｃの木端面３ａと床板１ａの木端面３ｂとの間に斜釘１４に起因する隙間やずれが生じることが確認される。すなわち、凸条部１２は、先に設置された床板１の釘隠溝１１に嵌入することにより、短尺方向に隣接する床板１どうしの位置ずれを防止することはもちろん、当該先に設置された床板１に打ち込まれた斜釘１４の打ち込み状態を確認するための簡易ゲージとして機能するのである。
【００２３】
そして、床板１ａ、１ｃ間に上述の如き隙間やずれが生じていれば、床板１ａに打ち込まれた斜釘１４を釘頭１４ａが下側の脚部１１ａに没入するまで再び打ち込み、これによって斜釘１４の打ち込みに起因する床板１ａ、１ｃ間の隙間やずれを解消する。
その後、床板１ｃの凸条部１２を床板１ａの釘隠溝１１に嵌入させた状態で該床板１ｃを捨張り材２２上に貼着する。そして、上記の手順を経て斜釘１４及び脳天ねじ材２３を介して床板１ｃを捨張り材２２に圧着させる。かかる工程を繰り返すことにより、床板１がその短尺方向にも敷き並べられる。
【００２４】
本実施の形態の床板１は仕上面４が木表とされているため、乾燥収縮による反り上がりは、床板１の長尺方向よりも短尺方向の方が顕著に現れることとなり、両木端面３ａ、３ｂが捨張り材２２から離間するように反り上がる。床板１の乾燥収縮の大きさは、床板１の収縮率に実寸法を乗じることによって求められるため、実寸法は有効寸法に可及的近接させた値とすることが望ましい。図２に示す如く、本実施の形態の床板１の短尺方向の実寸法Ｗは、有効寸法ｗよりも凸条部１２の突出分だけ僅かに大きく形成されるのみ（本実施の形態において短尺方向の実寸法Ｗは有効寸法ｗよりも１ｍｍ大きいのみ）であり、有効寸法ｗに略等しい。これにより、両木端面３ａ、３ｂの反り上がりは最小限に抑えられ、床板１の反りによって床面が波打つ虞はない。
【００２５】
また、両木端面３ａ、３ｂの反り上がりは床板１の有効寸法から算出される値に近接したものとなり、床板１に想定外の反りが発生する虞はない。
また、釘隠溝１１上下の脚部１１ａが厚く形成されることとなるため、該脚部１１ａを有する木端面側の強度が増大するばかりでなく、該脚部１１ａの乾燥収縮は極めて僅かなものとなり、これによって木端面３ｂの反り上がりがさらに小さなものとなる。
また、釘隠溝１１は雌実８よりも小さく形成されると共に凸条部１２は雄実７よりも小さく形成されているため、凸条部１２の釘隠溝１１への嵌入は雄実７を雌実８に嵌合させる場合よりも容易に行うことができる。
【００２６】
すなわち、雄実７と雌実８とを嵌脱するためには、例えば図５に示す如く、雄実７を雌実８に対向させた状態で床板１ｂを雌実側の床板１ａに近接離間させなければならない。このため、接着剤を塗布した床板１ｂの裏面５が捨張り材２２上を摺動することとなり、施工性が悪い。一方、図６に示す如く、床板１ｃの木端面３ｂの仕上面側の辺を床板１ａの木端面３ａの仕上面側の辺に当接させ、図中の矢印で示す如く、該当接部を回転軸として床板１ｃを捨張り材２２に向けて回転させる容易な作業によって凸条部１２は釘隠溝１１に嵌入する。このため、釘隠溝１１に凸条部１２を嵌入するにあたって接着剤を塗布された床板１ｃの裏面５が捨張り材２２に殆ど接触しない。したがって、本実施の形態の床板によれば、上述の如く斜釘１４の打ち込み状態を容易に判別することができるばかりでなく、既に固定された床板１の短尺方向に隣接させて配備すべき床板１の取付前の位置調整を容易に行うことができ、精度の高い施工を行うことができるのである。
【００２７】
また、床板１の短尺方向の実寸法Ｗが有効寸法ｗに略等しいため、床板一枚を作成するために必要とされる木材の大きさが仕上がり後の床板１の大きさと略同じ大きさとなり、これによって床板１の単価を抑えられるのである。
以上、本考案の実施の形態を詳述したが、本考案は上記の実施の形態に限定されるものではない。例えば、図７に示す如く、凸条部１２を基端から先端に向けて先細りとなる断面台形状に形成すると共に、釘隠溝１１を凸条部１２の形状に合わせて断面台形状に凹設することも可能である。また、図８に示す如く、凸条部１２の先端側を凸円弧状に形成すると共に、釘隠溝１１の底部を凸条部１２の形状に合わせて凹円弧状に形成することも可能である。これらの凸条部１２及び釘隠溝１１においては、より容易に釘隠溝１１に凸条部１２を嵌入させることができ、さらなる施工性の向上が期待できる。
【００２８】
また、床板１の構成素材を集成材や合板によって構成した場合にも、本実施の形態と同様の効果を奏する。また、仕上面４を木裏、裏面５を木表とした床材１を採用することも可能である。
また、床板１の長尺方向の連結方法は上述の本実矧ぎによるもの限定されるものではなく、相欠き矧ぎ等によるものでも構わない。また、脳天ねじ材２３に代えて釘を採用することも可能である。
また、凸条部１２及び釘隠溝１１の形成位置は、凸条部１２が釘隠溝１１に嵌入可能であれば、木端面３ａ、３ｂの幅方向中央部から仕上面側若しくは裏面側にずらした位置に設けても、本実施の形態と同様の効果を奏する。
【図面の簡単な説明】
【００２９】
【図１】本実施の形態の床板の斜視図である。
【図２】床板の短尺方向の断面図である。
【図３】床板の長尺方向の一部を省略して示す断面図である。
【図４】床板の正面図である。
【図５】床板の施工状態を床板の長尺方向からみた断面図である。
【図６】床板の施工状態を床板の短尺方向からみた断面図である。
【図７】床板の他の実施の形態を示す断面図である。
【図８】床板のさらに他の実施の形態を示す断面図である。
【符号の説明】
【００３０】
１    床板
２ａ  木口面
２ｂ  木口面
３ａ  木端面
３ｂ  木端面
７    雄実
８    雌実
１１  釘隠溝
１２  凸条部
１４  斜釘
【図１】
0003144641.tif 000003
【図２】
0003144641.tif 000004
【図３】
0003144641.tif 000005
【図４】
0003144641.tif 000006
【図５】
0003144641.tif 000007
【図６】
0003144641.tif 000008
【図７】
0003144641.tif 000009
【図８】
0003144641.tif 000010